【手続補正書】
【提出日】平成28年11月14日(2016.11.14)
【手続補正１】
【補正対象書類名】明細書
【補正対象項目名】０００９
【補正方法】変更
【補正の内容】
【０００９】
すなわち、本発明に係る医用診断支援装置は、被検体の管腔状組織を撮像した第１の医用画像データにおける、前記管腔状組織の長手方向における関心部の位置と、前記被検体の管腔状組織を撮像した第２の医用画像データにおける、前記長手方向における関心部の位置と、を記憶する記憶手段と、前記記憶手段に記憶された前記第１の医用画像データにおける関心部の位置を示す情報と、前記第２の医用画像データにおける関心部の位置を示す情報とを、前記管腔状組織の前記長手方向における表示基準位置から関心部の位置までの距離に対応する位置にそれぞれ表示させる表示手段と、を備えることを特徴とする。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
被検体の管腔状組織を撮像した第１の医用画像データにおける、前記管腔状組織の長手方向における関心部の位置と、前記被検体の管腔状組織を撮像した第２の医用画像データにおける、前記長手方向における関心部の位置と、を記憶する記憶手段と、
前記記憶手段に記憶された前記第１の医用画像データにおける関心部の位置を示す情報と、前記第２の医用画像データにおける関心部の位置を示す情報とを、前記管腔状組織の前記長手方向における表示基準位置から関心部の位置までの距離に対応する位置にそれぞれ表示させる表示手段と、
を備えることを特徴とする医用診断支援装置。
【請求項２】
前記第１の医用画像データは、前記被検体が第１の体位で撮影された医用画像データであり、前記第２の医用画像データは、前記被検体が前記第１の体位とは異なる第２の体位で撮影された医用画像データであること
を特徴とする請求項１に記載の医用診断支援装置。
【請求項３】
前記表示手段は、前記第１の医用画像データにおける関心部の位置に対応する位置に前記第２の医用画像データにおける関心部が存在する場合には、当該第１の医用画像データにおける関心部の位置が識別可能に表示すること
を特徴とする請求項１または２に記載の医用診断支援装置。
【請求項４】
前記記憶手段は、前記第１及び第２の医用画像データの前記長手方向に交差する面内における関心部の位置も記憶しており、
前記表示手段は、前記面内における関心部の位置が識別できるように表示させることを特徴とする請求項１乃至３のいずれか１項に記載の医用診断支援装置。
【請求項５】
被検体の管腔状組織を撮像した第１の医用画像データにおける、前記管腔状組織の長手方向における関心部の位置と、前記被検体の管腔状組織を撮像した第２の医用画像データにおける、前記長手方向における関心部の位置と、前記第１及び第２の医用画像データの前記長手方向に交差する面内における関心部の位置と、を記憶する記憶手段と、
前記記憶手段に記憶された前記長手方向における関心部の位置を示す情報を、前記面内における関心部の位置が識別できるように表示させる表示手段と、
を備えることを特徴とする医用診断支援装置。
【請求項６】
前記表示手段は、前記面内における関心部の位置に応じた態様によって前記位置を示す情報を表示もしくは強調させることで、前記面内における関心部の位置が識別できるようにすることを特徴とする請求項４または５に記載の医用診断支援装置。
【請求項７】
前記記憶手段は、前記面内における関心部の位置を、前記管腔状組織の中心位置から所定の部位に向かう方向からの角度として記憶していることを特徴とする請求項４乃至６のいずれか１項に記載の医用診断支援装置。
【請求項８】
前記記憶手段は、前記関心部の前記長手方向の領域も記憶しており、
前記表示手段は、前記位置を示す情報とともにもしくは前記位置を示す情報に替えて、前記領域を示す情報を表示させることを特徴とする請求項１乃至７のいずれか１項に記載の医用診断支援装置。
【請求項９】
前記第１の医用画像データと前記第２の医用画像データとは、互いに異なる画像取得方式により取得されたものであることを特徴とする請求項１乃至８のいずれか１項に記載の医用診断支援装置。
【請求項１０】
被検体の管腔状組織を撮像した医用画像データにおける関心部の位置の入力を受け付ける入力受付手段を更に有し、
前記記憶手段は前記入力受付手段で受け付けた位置を、医用画像データ毎に記憶していることを特徴とする請求項１乃至９のいずれか１項に記載の医用診断支援装置。
【請求項１１】
被検体の管腔状組織を撮像した医用画像データにおける関心部の位置を、医用画像データをもとに特定する特定手段を更に有し、
前記記憶手段は前記特定手段で特定された位置を、医用画像データ毎に記憶していることを特徴とする請求項１乃至９のいずれか１項に記載の医用診断支援装置。
【請求項１２】
被検体の管腔状組織を撮像した第１の医用画像データにおける、前記管腔状組織の長手方向における関心部の位置と、前記被検体の管腔状組織を撮像した第２の医用画像データにおける、前記長手方向における関心部の位置と、を記憶する記憶手段を備える医用診断支援装置による医用診断支援方法であって、
前記医用診断支援装置が、
前記記憶手段に記憶された前記第１の医用画像データにおける関心部の位置を示す情報と、前記第２の医用画像データにおける関心部の位置を示す情報とを、前記管腔状組織の前記長手方向における表示基準位置から関心部の位置までの距離に対応する位置にそれぞれ表示させる表示ステップ
を備えることを特徴とする医用診断支援方法。
【請求項１３】
被検体の管腔状組織を撮像した第１の医用画像データにおける、前記管腔状組織の長手方向における関心部の位置と、前記被検体の管腔状組織を撮像した第２の医用画像データにおける、前記長手方向における関心部の位置と、を記憶する記憶手段を備える医用診断支援装置で実行可能なプログラムであって、
前記医用診断支援装置を、
前記記憶手段に記憶された前記第１の医用画像データにおける関心部の位置を示す情報と、前記第２の医用画像データにおける関心部の位置を示す情報とを、前記管腔状組織の前記長手方向における表示基準位置から関心部の位置までの距離に対応する位置にそれぞれ表示させる表示手段
として機能させることを特徴とするプログラム。
【請求項１４】
被検体の管腔状組織を撮像した第１の医用画像データにおける、前記管腔状組織の長手方向における関心部の位置と、前記被検体の管腔状組織を撮像した第２の医用画像データにおける、前記長手方向における関心部の位置と、前記第１及び第２の医用画像データの前記長手方向に交差する面内における関心部の位置と、を記憶する記憶手段を備える医用診断支援装置による医用診断支援方法であって、
前記医用診断支援装置が、
前記記憶手段に記憶された前記長手方向における関心部の位置を示す情報を、前記面内における関心部の位置が識別できるように表示させる表示ステップ
を備えることを特徴とする医用診断支援方法。
【請求項１５】
被検体の管腔状組織を撮像した第１の医用画像データにおける、前記管腔状組織の長手方向における関心部の位置と、前記被検体の管腔状組織を撮像した第２の医用画像データにおける、前記長手方向における関心部の位置と、前記第１及び第２の医用画像データの前記長手方向に交差する面内における関心部の位置と、を記憶する記憶手段を備える医用診断支援装置で実行可能なプログラムであって、
前記医用診断支援装置を、
前記記憶手段に記憶された前記長手方向における関心部の位置を示す情報を、前記面内における関心部の位置が識別できるように表示させる表示手段
として機能させることを特徴とするプログラム。